【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
実用規模の再生可能エネルギー発電システムであって、
高電圧型の再生可能エネルギー環境発電網にして、
各々が直流出力部を有する、再生可能エネルギー収集体の複数のストリングと、複数の再生可能エネルギー発電最適化装置及びトランスミッタとを含み、各前記複数の再生可能エネルギー発電最適化装置及びトランスミッタが、再生可能エネルギー収集体の複数のストリングにおける少なくとも１つにおける直流出力部に接続した、少なくとも１つのストリング発電最適化装置入力部を有し、各前記複数の再生可能エネルギー発電最適化装置及びトランスミッタが、システム直流リンクに接続した高電圧直流出力部を有し、各前記複数の再生可能エネルギー発電最適化装置及びトランスミッタが、その単一の正の高電圧直流出力部及び単一の負の高電圧直流出力部をシステム直流リンクに接続し、その単一の電気的中立部をシステム直流リンクの電気的接地部に接続した構成を有する前記高電圧型の再生可能エネルギー環境発電網と、
中央電力系統に同期された多相定電流源変換器システムにして、複数の電力系統変換器パッケージモジュールを有し、各前記電力系統変換器パッケージモジュールが、システム直流リンクに接続した入力部を有する前記中央電力系統に同期された多相定電流源変換器システムと、
を含む実用規模の再生可能エネルギー発電システム。
【請求項２】
前記再生可能エネルギー収集体の複数のストリングの各ストリングが複数の太陽電池モジュールを含み、各前記再生可能エネルギー発電最適化装置及びトランスミッタが、
少なくとも一対の直流／直流変換器にして、各直流／直流変換器がストリング変換器入力部と、変換器対直流リンク出力部とを有し、前記ストリング変換器入力部が、少なくとも１つのストリングの再生可能エネルギー発電最適化装置入力部に接続され、前記変換器対直流リンク出力部が高電圧直流出力部に接続された前記少なくとも一対の直流／直流変換器と、
各前記少なくとも一対の直流／直流変換器のストリング変換器入力部位置のストリング変換器入力電圧及びストリング変換器入力電流を検出及び監視し、前記少なくとも一対の直流／直流変換器の各々を最大出力点に制御するプロセッサと、
を含む請求項１に記載の実用規模の再生可能エネルギー発電システム。
【請求項３】
各前記複数の再生可能エネルギー発電最適化装置及びトランスミッタにおける複数の変換器切替装置の通信周波数を制御するための変換器制御装置を更に含む請求項１または２に記載の実用規模の再生可能エネルギー発電システム。
【請求項４】
一定の近共鳴周波数に維持される期間中の各前記複数の再生可能エネルギー発電最適化装置及びトランスミッタの複数の変換器切替装置の通電時間を制御するための変換器制御装置を更に含む請求項１または２に記載の実用規模の再生可能エネルギー発電システム。
【請求項５】
各前記複数の再生可能エネルギー発電最適化装置及びトランスミッタにおける複数の変換器切替装置の共鳴周波数範囲付近での通信周波数と、各前記複数の再生可能エネルギー発電最適化装置及びトランスミッタにおける複数の変換器切替装置の、共鳴周波数範囲外の一定周波数に維持される期間中の通電時間とを制御するための変換器制御装置を更に含む請求項１または２に記載の実用規模の再生可能エネルギー発電システム。
【請求項６】
前記再生可能エネルギー収集体の複数のストリングの各ストリングが複数の太陽電池モジュールを含み、各前記複数の再生可能エネルギー発電最適化装置及びトランスミッタが、
第１の対及び第２の対の直流／直流変換器を含む４台の直流／直流変換器組み合わせ体にして、各前記４台の直流／直流変換器組み合わせ体が、少なくとも１つのストリング発電最適化装置入力部の各々に接続したストリング変換器入力部と、単一の整流器からの正の変換器出力部及び負の変換器出力部とを有し、前記第１の対の直流／直流変換器が、システム直流リンクに接続した単一の正の高電圧直流出力部に並列接続した正の変換器出力部を有し、前記第２の対の直流／直流変換器が、システム直流リンクに接続した単一の負の高電圧直流出力部に並列接続した負の変換器出力部を有し、前記第１の対の直流／直流変換器の負の変換器出力部と、前記第２の対の直流／直流変換器の正の変換器出力部とが、システム直流リンクの電気的接地部に接続した単一の電気的中立部に相互に共通接続された前記４台の直流／直流変換器組み合わせ体と、
前記４台の直流／直流変換器の各々におけるストリング変換器入力部位置のストリング変換器入力電圧及びストリング変換器入力電流を検出及び監視し、前記４台の直流／直流変換器の各々を最大出力点に制御するためのプロセッサと、
前記複数の高電圧型の再生可能エネルギー環境発電網のデータ及び、中央電力系統に同期された複数の多相定電流源変換器システムのデータを送受信するためのアンテナに接続したトランシーバと、
を更に含む請求項１に記載の実用規模の再生可能エネルギー発電システム。
【請求項７】
前記再生可能エネルギー収集体の複数のストリングの各ストリングが複数の太陽電池モジュールを含み、各前記複数の再生可能エネルギー発電最適化装置及びトランスミッタが、
複数の４台の直流／直流変換器組み合わせ体にして、前記複数の４台の直流／直流変換器の各々が、少なくとも１つのストリングの発電最適化装置の入力部の各々に接続したストリング変換器入力部と、正及び負の整流器を各含む一対の整流器とを含み、前記複数の４台の直流／直流変換器の各々における正の整流器の正の出力部が、システム直流リンクに接続した単一の正の高電圧直流出力部に相互に並列接続され、前記複数の４台の直流／直流変換器の各々における負の整流器の負の出力部が、前記システム直流リンクに接続した単一の負の高電圧直流出力部に相互に並列接続され、前記複数の４台の直流／直流変換器の各々における正の整流器の負の出力部及び前記負の整流器の正の出力部が、システム直流リンクの電気的接地部に接続した単一の電気的中立部に相互に並列接続された前記複数の４台の直流／直流変換器組み合わせ体と、
前記複数の４台の直流／直流変換器組み合わせ体におけるストリング変換器入力部位置のストリング変換器入力電圧及びストリング変換器入力電流を検出及び監視し、前記複数の４台の直流／直流変換器組み合わせ体を最大出力点に制御するためのプロセッサと、
前記複数の高電圧型の再生可能エネルギー環境発電網のデータ及び、中央電力系統に同期された複数の多相定電流源変換器システムのデータを送受信するためのアンテナに接続したトランシーバと、
を含む請求項１に記載の実用規模の再生可能エネルギー発電システム。
【請求項８】
中央制御システムを更に含み、前記中央制御システムが、
前記複数の再生可能エネルギー発電最適化装置及びトランスミッタ及び電力系統変換器パッケージモジュール間で通信するための手段と、
前記複数の高電圧型の再生可能エネルギー環境発電網のデータ及び、中央電力系統に同期された複数の多相定電流源変換器システムのデータを送受信するための手段と、
を含む請求項１または２に記載の実用規模の再生可能エネルギー発電システム。
【請求項９】
前記４台の直流／直流変換器の各々が、可変周波数制御式の共鳴型変換器を更に含み、前記共鳴型変換器が、ストリング変換器入力部に接続した共鳴型変換器入力部及び単一の整流器の入力部に絶縁変圧器により接続した共鳴型変換器出力部を有し、前記単一の整流器が、整流器の正及び負の各出力部に接続した出力部を有し、プロセッサが、前記可変周波数制御式の共鳴型変換器の運転周波数を変化させることにより前記４台の直流／直流変換器の各々を最大出力点に制御する請求項６に記載の実用規模の再生可能エネルギー発電システム。
【請求項１０】
前記複数の４台の直流／直流変換器の各々が可変周波数制御式の共鳴型変換器を更に含み、前記共鳴型変換器が、ストリング変換器入力部に接続した共鳴型変換器入力部と、一対の整流器の入力部に絶縁変圧器により接続した共鳴型変換器出力部とを有し、プロセッサが、前記可変周波数制御式の共鳴型変換器の運転周波数を変化させることにより前記複数の４台の直流／直流変換器の各々を最大出力点に制御する請求項７に記載の実用規模の再生可能エネルギー発電システム。
【請求項１１】
前記複数の再生可能エネルギー収集体の各々が、複数の風車被駆動式の交流発電機を含み、各前記交流発電機が、整流済み直流の出力部を有し、各前記複数の再生可能エネルギー発電最適化装置及びトランスミッタが、
少なくとも一対の直流／直流変換器にして、各々がストリング変換器入力部と、変換器対直流リンク出力部とを有し、前記ストリング変換器入力部がストリングの少なくとも１つの発電最適化装置の入力部に接続され、変換器対直流リンク出力部が高電圧直流出力部に接続された前記少なくとも一対の直流／直流変換器と、
各前記少なくとも一対の直流／直流変換器におけるストリング変換器入力部位置のストリング変換器入力電圧及びストリング変換器入力電流を検出及び監視し、前記一対の直流／直流変換器の各々を最大出力点に制御するためのプロセッサと、
を含む請求項１に記載の実用規模の再生可能エネルギー発電システム。
【請求項１２】
実用規模の再生可能エネルギーシステムからの再生可能エネルギーの環境発電、変換、監視及び制御方法であって、
前記システムは、各々が直流出力部を有する再生可能エネルギー収集体の複数のストリングを含む高電圧型の再生可能エネルギー環境発電網と、複数の電力系統変換器パッケージモジュールを有し中央電力系統に同期された多相定電流源変換器システムとを含み、
前記方法が、前記高電圧型の再生可能エネルギー環境発電網内に単一の正の高電圧直流出力部及び単一の負の高電圧直流出力部及び単一の電気的中立部を提供するように構成し、配分した複数の再生可能エネルギー発電最適化装置及びトランスミッタにより前記再生可能エネルギー収集体の複数のストリングの直流出力部を最適化するステップと、単一の正の高電圧直流出力部に接続した正のバス、単一の負の高電圧直流出力部に接続した負のバス、及び、単一の電気的中立部に接続した共通バスを有するシステム直流リンクにより、前記単一の正及び負の各高電圧直流出力部及び電気的中立部を、前記中央電力系統に同期された複数の多相定電流源変換器システムに接続するステップとを含む方法。
【請求項１３】
実用規模の再生可能エネルギー発電システムであって、
高電圧型の再生可能エネルギー環境発電網にして、
各々が直流出力部を有する、再生可能エネルギー収集体の複数のストリングと、
複数の再生可能エネルギー発電最適化装置及びトランスミッタにして、各前記複数の再生可能エネルギー発電最適化装置及びトランスミッタが、再生可能エネルギー収集体の複数のストリングにおける少なくとも１つにおける直流出力部に接続した少なくとも１つのストリング発電最適化装置入力部を有し、各前記複数の再生可能エネルギー発電最適化装置及びトランスミッタが、システム直流リンクに接続した高電圧直流出力部を有し、各前記複数の再生可能エネルギー発電最適化装置及びトランスミッタにおける単一の正の高電圧直流出力部及び単一の負の高電圧直流出力部がシステム直流リンクに接続され、その単一の電気的中立部をシステム直流リンクの電気的接地部に接続した前記複数の再生可能エネルギー発電最適化装置及びトランスミッタと、を含む高電圧型の再生可能エネルギー環境発電網と、
各々がシステム直流リンクに接続した入力部を有する、複数の、電力系統変換器パッケージモジュールを有する、中央電力系統に同期された複数の多相定電流源変換器システムと、
前記高電圧型の再生可能エネルギー環境発電網及び中央電力系統に同期された複数の多相定電流源変換器システムを監視及び制御するための仮想イマージョン監視システム及び中央制御システムと、
を含む実用規模の再生可能エネルギー発電システム。
【請求項１４】
前記再生可能エネルギー収集体の複数のストリングの各ストリングが複数の太陽電池モジュールを含み、各前記複数の再生可能エネルギー発電最適化装置及びトランスミッタが、
少なくとも一対の直流／直流変換器にして、各々がストリング変換器入力部と、変換器対直流リンク出力部とを有し、前記ストリング変換器入力部が少なくとも１つにおけるストリングの発電最適化装置の入力部に接続され、変換器対直流リンク出力部が高電圧直流出力部に接続された前記少なくとも一対の直流／直流変換器と、
各前記少なくとも一対の直流／直流変換器におけるストリング変換器入力部位置のストリング変換器入力電圧及びストリング変換器入力電流を検出及び監視し、前記一対の直流／直流変換器の各々を最大出力点に制御するためのプロセッサと、
を含む請求項１３に記載の実用規模の再生可能エネルギー発電システム。
【請求項１５】
各前記複数の再生可能エネルギー発電最適化装置及びトランスミッタにおける複数の変換器切替装置の通信周波数を制御するための変換器制御装置を更に含む請求項１３または１４に記載の実用規模の再生可能エネルギー発電システム。
【請求項１６】
一定の近共鳴周波数に維持される期間中の各前記複数の再生可能エネルギー発電最適化装置及びトランスミッタの複数の変換器切替装置の通電時間を制御するための変換器制御装置を更に含む請求項１３または１４に記載の実用規模の再生可能エネルギー発電システム。
【請求項１７】
各前記複数の再生可能エネルギー発電最適化装置及びトランスミッタにおける複数の変換器切替装置の共鳴周波数範囲付近での通信周波数と、各前記複数の再生可能エネルギー発電最適化装置及びトランスミッタにおける複数の変換器切替装置の、共鳴周波数範囲外の一定周波数に維持される期間中の通電時間とを制御するための変換器制御装置を更に含む請求項１３または１４に記載の実用規模の再生可能エネルギー発電システム。
【請求項１８】
前記再生可能エネルギー収集体の複数のストリングの各ストリングが複数の太陽電池モジュールを含み、各前記複数の再生可能エネルギー発電最適化装置及びトランスミッタが、
第１の対及び第２の対の直流／直流変換器を含む４台の直流／直流変換器組み合わせ体にして、各前記４台の直流／直流変換器組み合わせ体が、少なくとも１つのストリングにおける発電最適化装置入力部の各々に接続したストリング変換器入力部と、単一の整流器からの正の変換器出力部及び負の変換器出力部とを有し、前記第１の対の直流／直流変換器が、システム直流リンクに接続した単一の正の高電圧直流出力部に並列接続した正の変換器出力部を有し、前記第２の対の直流／直流変換器が、システム直流リンクに接続した単一の負の高電圧直流出力部に並列接続した負の変換器出力部を有し、前記第１の対の直流／直流変換器の負の変換器出力部と、前記第２の対の直流／直流変換器の正の変換器出力部とが、システム直流リンクの電気的接地部に接続した単一の電気的中立部に相互に共通接続された前記４台の直流／直流変換器組み合わせ体と、
前記４台の直流／直流変換器の各々におけるストリング変換器入力部位置のストリング変換器入力電圧及びストリング変換器入力電流を検出及び監視し、前記４台の直流／直流変換器の各々を最大出力点に制御するためのプロセッサと、
前記複数の高電圧型の再生可能エネルギー環境発電網のデータ及び、中央電力系統に同期された複数の多相定電流源変換器システムのデータを前記仮想イマージョン監視システム及び中央制御システムに送受信するためのアンテナに接続したトランシーバと、
を含む請求項１３に記載の実用規模の再生可能エネルギー発電システム。
【請求項１９】
前記再生可能エネルギー収集体の複数のストリングの各ストリングが複数の太陽電池モジュールを含み、各前記複数の再生可能エネルギー発電最適化装置及びトランスミッタが、
複数の４台の直流／直流変換器組み合わせ体にして、複数の４台の直流／直流変換器の各々が、少なくとも１つのストリングの発電最適化装置の入力部の各々に接続したストリング変換器入力部と、正及び負の整流器を各含む一対の整流器とを含み、前記複数の４台の直流／直流変換器の各々における正の整流器の正の出力部が、システム直流リンクに接続した単一の正の高電圧直流出力部に相互に並列接続され、前記複数の４台の直流／直流変換器の各々における負の整流器の負の出力部が、前記システム直流リンクに接続した単一の負の高電圧直流出力部に相互に並列接続され、前記複数の４台の直流／直流変換器の各々における正の整流器の負の出力部及び前記負の整流器の正の出力が、システム直流リンクの電気的接地部に接続した単一の電気的中立部に相互に並列接続された前記複数の４台の直流／直流変換器組み合わせ体と、
前記複数の４台の直流／直流変換器組み合わせ体におけるストリング変換器入力部位置のストリング変換器入力電圧及びストリング変換器入力電流を検出及び監視し、前記複数の４台の直流／直流変換器組み合わせ体を最大出力点に制御するためのプロセッサと、
前記複数の高電圧型の再生可能エネルギー環境発電網のデータ及び、中央電力系統に同期された複数の多相定電流源変換器システムのデータを前記仮想イマージョン監視システム及び中央制御システムに送受信するためのアンテナに接続したトランシーバと、
を更に含む請求項１３に記載の実用規模の再生可能エネルギー発電システム。
【請求項２０】
前記中央制御システムが、
各前記複数の再生可能エネルギー発電最適化装置及びトランスミッタ及び電力系統の変換器パッケージモジュール間で通信するための手段と、
前記複数の高電圧型の再生可能エネルギー環境発電網のデータ及び、中央電力系統に同期された複数の多相定電流源変換器システムのデータを送受信するための手段と、
前記仮想イマージョン監視システムと通信するための手段と、
を含む請求項１３または１４に記載の実用規模の再生可能エネルギー発電システム。
【請求項２１】
前記仮想イマージョン監視システムが、前記複数の高電圧型の再生可能エネルギー環境発電網のデータ及び、中央電力系統に同期された複数の多相定電流源変換器システムのデータを収集するため、及び、前記各データを、三次元、視覚指向、仮想現実の表示環境に視覚表示させ、且つ、再生可能エネルギー収集体の複数のストリングにおける入手可能な放射に基づき、前記高電圧型再生エネルギー環境発電網から高電圧電力系統に挿入する発電出力を予測するための仮想イマージョン装置見張りコンピュータシステムを含む請求項１３または１４に記載の実用規模の再生可能エネルギー発電システム。
【請求項２２】
前記４台の直流／直流変換器組み合わせ体の各々が、可変周波数制御式の共鳴型変換器を更に含み、前記共鳴型変換器が、ストリング変換器入力部に接続した共鳴型変換器入力部と、単一の整流器の入力部に絶縁変圧器により接続した共鳴型変換器出力部とを有し、前記単一の整流器が、前記正の整流器出力部及び負の整流器出力部に接続した出力部を有し、プロセッサが、前記可変周波数制御式の共鳴型変換器の運転周波数を変化させることにより前記４台の直流／直流変換器の各々を最大出力点に制御する請求項１８に記載の実用規模の再生可能エネルギー発電システム。
【請求項２３】
前記複数の４台の直流／直流変換器が、可変周波数制御式の共鳴型変換器を更に含み、前記共鳴型変換器が、ストリング変換器入力部に接続した共鳴型変換器入力部と、一対の整流器の入力部に絶縁変圧器により接続した共鳴型変換器出力部とを有し、プロセッサが、前記可変周波数制御式の共鳴型変換器の運転周波数を変化させることにより前記複数の４台の直流／直流変換器の各々を最大出力点に制御する請求項１９に記載の実用規模の再生可能エネルギー発電システム。
【請求項２４】
前記複数の再生可能エネルギー収集体の各々が、複数の風車被駆動式の交流発電機を含み、
各前記交流発電機が整流済み直流の出力部を有し、各前記複数の再生可能エネルギー発電最適化装置及びトランスミッタが、
少なくとも一対の直流／直流変換器にして、各々がストリング変換器入力部と、変換器対直流リンク出力部とを有し、前記ストリング変換器の入力部がストリングの少なくとも１つの発電最適化装置の入力部に接続され、変換器対直流リンク出力部が高電圧直流出力部に接続された前記少なくとも一対の直流／直流変換器と、
各前記少なくとも一対の直流／直流変換器におけるストリング変換器入力部位置のストリング変換器入力電圧及びストリング変換器入力電流を検出及び監視し、前記少なくとも一対の直流／直流変換器の各々を最大出力点に制御するためのプロセッサと、
を含む請求項１３に記載の実用規模の再生可能エネルギー発電システム。
【請求項２５】
前記仮想イマージョン監視システムが、前記複数の高電圧型の再生可能エネルギー環境発電網のデータ及び、中央電力系統に同期された複数の多相定電流源変換器システムのデータを収集するため、及び、前記各データを、三次元、視覚指向、仮想現実、の表示環境に視覚表示させるための仮想イマージョン装置見張りコンピュータシステムを含む請求項１３に記載の実用規模の再生可能エネルギー発電システム。
【請求項２６】
少なくとも一対の前記直流／直流変換器が、可変周波数制御式の共鳴型変換器を更に含み、前記共鳴型変換器が、少なくとも１つのストリング変換器入力部に各々接続した共鳴型変換器入力部と、単一の整流器の入力部に絶縁変圧器により接続した共鳴型変換器出力部とを有し、前記単一の整流器が、前記正の整流器出力部及び負の整流器出力部に接続した出力部を有し、プロセッサが、前記可変周波数制御式の共鳴型変換器の運転周波数を変化させることにより前記少なくとも１つの直流／直流変換器の各々を最大出力点に制御する請求項２４に記載の実用規模の再生可能エネルギー発電システム。
【請求項２７】
実用規模の再生可能エネルギーシステムからの再生可能エネルギーの環境発電、変換、監視及び制御するための方法であって、
高電圧型の再生可能エネルギー環境発電網を含み、前記高電圧型の再生可能エネルギー環境発電網が、
各々が直流出力部を有する再生可能エネルギー収集体の複数のストリングと、
複数の再生可能エネルギー発電最適化装置及びトランスミッタにして、各前記複数の再生可能エネルギー発電最適化装置及びトランスミッタが、前記再生可能エネルギー収集体の複数のストリングにおける少なくとも１つの直流出力部に接続した少なくとも１つのストリング発電最適化装置入力部を有し、各前記複数の再生可能エネルギー発電最適化装置及びトランスミッタが、システム直流リンクに接続した高電圧直流出力部を有し、その単一の正の高電圧直流出力部がシステム直流リンクの正のバスに接続され、その単一の負の高電圧直流出力部がシステム直流リンクの負のバスに接続され、その単一の電気的中立部がシステム直流リンクの共通バスに接続される構成を有する前記複数の再生可能エネルギー発電最適化装置及びトランスミッタとを含む高電圧型の再生可能エネルギー環境発電網と、
複数の電力系統変換器パッケージモジュールを有する、中央電力系統に同期された多相定電流源変換器システムと、
を含み、前記方法が、
前記高電圧型の再生可能エネルギー環境発電網を、三次元、視覚指向、仮想現実、の表示環境において仮想イマージョン監視するステップと、
前記高電圧型の再生可能エネルギー環境発電網と、中央電力系統に同期された多相定電流源変換器システムとを、前記三次元、視覚指向、仮想現実、の表示環境との通信状況下に中央制御するステップと、
を含む方法。